(57)【要約】【課題】同一放送素材から複数の信号形式の放送素材を要する場合にも収録時間が増加する虞れのない番組収録システムを提供すること。【解決手段】ＶＴＲ１などの映像・音声信号再生機器からビデオサーバ４などの映像・音声信号送出機器に収録する際、映像・音声信号切換器２により、ＶＴＲ１からビデオサーバ４に直接、信号を伝達する経路と、映像・音声信号変換器３を経由して信号を伝達する経路の一方と双方に任意に分岐できるようにしたもの。このとき映像・音声信号変換器３は、アップコンバージョンモードとダウンコンバージョンモードの何れも任意にとることができる。【選択図】  図１
2004235999.tif 000002
【特許請求の範囲】
【請求項１】
少なくとも映像音声信号再生機器と映像音声信号切換器、映像音声信号変換器、映像音声信号送出機器、それに制御機器とを備え、
前記映像音声信号再生機器は予め収録してある放送素材を出力し、
前記映像音声信号切換器は、前記映像音声再生機器の出力を１以上の複数の伝送系統に分岐させ、
前記映像音声信号変換器は、前記映像音声切換器により分岐された少なくとも１の伝送系統における映像音声信号を異なる信号形式に変換し、
前記映像音声信号送出機器は、前記映像音声信号切換器から出力される少なくとも１の伝送系統の映像音声信号と、前記映像音声信号変換器から出力される少なくとも１の伝送系統の映像音声信号とを収録し、
前記制御機器は、少なくとも前記映像音声信号再生機器と前記映像音声信号切換器、前記映像音声信号変換器、それに前記映像音声信号送出機器を制御するものであることを特徴とする番組収録システム。
【請求項２】
請求項１に記載の番組収録システムにおいて、
前記信号形式の少なくとも一方がハイビジョンなどのＨＤ信号形式であり、他方がＮＴＳＣ方式などのＳＤ信号形式であり、
前記映像音声信号変換器は、ＨＤ信号からＳＤ信号に変換するダウンコンバージョンモードと、ＳＤ信号からＨＤ信号に変換するアップコンバージョンモードの２種のモードに切換えて動作できるものであることを特徴とする番組収録システム。
【発明の詳細な説明】
【０００１】
【発明の属する技術分野】
本発明は、ビデオサーバなどの映像・音声信号送出機器を用いた番組収録システムに係り、特に放送素材の信号形式が複数にわたる場合に好適な番組収録システムに関する。
【０００２】
【従来の技術】
近年、放送局などでは、ビデオサーバなどの映像音声送出機器（映像・音声信号送出機器）を用い、放送予定の番組については、例えば磁気テープなどに予め記録してある複数の放送素材を読出し、当該映像音声信号送出装置に収録して番組素材とした上で放送する方式が採られる場合がある。
【０００３】
この方式の場合、予め記録しておいた複数の放送素材は、放送に先立って事前に放送プログラムに従って映像音声信号送出機器に編集収録されていて、放送予定日には、この事前に編集収録されている放送素材が当該映像音声信号送出装置から読出され、そのまま番組素材として放送できるようにしておくのが一般的である（例えば、特許文献１参照。）。
【０００４】
ところで、このときの放送素材には、例えばハイビジョンなどの高品質画像信号などとして知られているＨＤ（Ｈｉｇｈ  Ｄｅｆｉｎｉｔｉｏｎ）信号と、ＮＴＳＣ方式として知られているＳＤ（Ｓｔａｎｄｅｒｄ  Ｄｅｆｉｎｉｔｉｏｎ）信号など、各種の信号形式があり、このため、同一の素材について、ＨＤ信号やＳＤ信号など、所望の信号形式に変換処理した上で、それぞれを映像音声信号送出機器に収録する必要がある。
【０００５】
そこで、従来技術では、このように、同一の放送素材を信号形式が異なった複数の映像音声信号（映像・音声信号）として収録する場合には、それぞれの信号形式毎に同一の素材をアップ／ダウンコンバータなどの映像音声信号（映像・音声信号）変換器に入力し、各信号形式毎にビデオサーバなどの映像音声信号送出機器に収録している。
【０００６】
ここで、必要とする放送素材の信号形式が磁気テープから再生した素材の信号形式と同じな場合は、そのまま映像音声信号送出機器に収録すればよく、異なっていた場合は、所定の信号変換処理を施してから収録することになる。
【０００７】
【特許文献１】
特開平１１−１８５４５１号公報
【０００８】
【発明が解決しようとする課題】
上記従来技術は、番組収録すべき放送素材の信号形式の種別数に応じた回数の収録処理を要する点に配慮がされておらず、収録処理に時間が掛かるという問題があった。
【０００９】
上記従来技術の場合、放送すべき素材の信号形式が、例えばＨＤ信号とＳＤ信号の２種であった場合には、当然のことながら２倍の収録時間が必要になってしまう。
【００１０】
本発明の目的は、同一放送素材から複数の信号形式の放送素材を要する場合にも収録時間が増加する虞れのない番組収録システムを提供することにある。
【００１１】
【課題を解決するための手段】
上記目的は、少なくとも映像音声信号再生機器と映像音声信号切換器、映像音声信号変換器、映像音声信号送出機器、それに制御機器とを備え、前記映像音声信号再生機器は予め収録してある放送素材を出力し、前記映像音声信号切換器は、前記映像音声再生機器の出力を１以上の複数の伝送系統に分岐させ、前記映像音声信号変換器は、前記映像音声切換器により分岐された少なくとも１の伝送系統における映像音声信号を異なる信号形式に変換し、前記映像音声信号送出機器は、前記映像音声信号切換器から出力される少なくとも１の伝送系統の映像音声信号と、前記映像音声信号変換器から出力される少なくとも１の伝送系統の映像音声信号とを収録し、前記制御機器は、少なくとも前記映像音声信号再生機器と前記映像音声信号切換器、前記映像音声信号変換器、それに前記映像音声信号送出機器を制御するものであるようにして達成される。
【００１２】
このとき、前記信号形式の少なくとも一方がハイビジョンなどのＨＤ信号形式であり、他方がＮＴＳＣ方式などのＳＤ信号形式であり、前記映像音声信号変換器は、ＨＤ信号からＳＤ信号に変換するダウンコンバージョンモードと、ＳＤ信号からＨＤ信号に変換するアップコンバージョンモードの２種のモードに切換えて動作できるものであるようにしても上記目的が達成できる。
【００１３】
【発明の実施の形態】
以下、本発明による番組収録システムについて、図示の実施の形態により詳細に説明する。ここで図１が本発明の一実施形態で、これは、図示のように、ＶＴＲ１と映像音声信号切換器２、映像音声信号変換器３、ビデオサーバ４、それに制御機器５で構成されている。
【００１４】
そして、まずＶＴＲ１は映像音声信号再生機器として動作し、番組の構成に必要な放送素材として予め記録してある映像音声信号を再生する働きをするものである。
【００１５】
このときの放送素材自体は、このＶＴＲ１により記録したものに限らず、他のＶＴＲで記録したものでもよい。また、この実施形態ではＶＴＲ（ビデオテープレコーダ）が用いられているが、映像音声信号からなる放送素材が記録再生できるなら、光ディスク装置でもハードディスク装置でもよい。
【００１６】
次に、映像音声信号切換器２は、ＶＴＲ１から再生されてくる映像音声信号を選択的に分配するスイッチで、ここでは、ＶＴＲ１から供給される映像音声信号を映像音声信号変換器３の入力に切換える接点ａと、ビデオサーバ４の入力に切換える接点ｂを備えている。
【００１７】
そして、これらの接点ａ、ｂの選択的なＯＮ、ＯＦＦにより、ＶＴＲ１から供給される映像音声信号を、映像音声信号変換器３を介してビデオサーバ４に供給する経路と、そのままビデオサーバ４に直接供給する経路の何れか一方、又は双方に切換え、分岐させる働きをする。
【００１８】
このとき映像音声信号変換器３は、例えばアップ／ダウンコンバータなどと呼ばれている機器で構成され、これによりＶＴＲ１から映像・音声信号切換器２を介して入力される映像・音声信号の信号形式を、ＨＤ信号からＳＤ信号に変換する、いわゆるダウンコンバージョンとしての働きをしたり、ＳＤ信号からＨＤ信号に変換する、いわゆるアップコンバージョンとしての働きをしたりする。
【００１９】
ここでビデオサーバ４は、上記したように、予め記録しておいた複数の放送素材を、放送に先立って事前に放送プログラムに従って編集収録し、放送予定日に読出して放送するために使用される映像音声信号送出装置として働くもので、このため、これには映像音声信号切換器２と映像音声信号変換器３の双方から映像音声信号が入力され、双方の経路から入力され映像音声信号の双方が同時に収録できるるようになっている。
【００２０】
そして制御機器５は、例えば所定のプログラムに従って作動するコンピュータを備え、これによりシステム全体を制御する働きをするもので、このため、例えば規格ＲＳ４２２による制御線などを介してＶＴＲ１と映像音声信号切換器２、映像音声信号変換器３、それにビデオサーバ４など、このシステムに含まれている各々の機器と接続されていて、これらの機器の制御を行ない、動作を監視することができるようになっている。
【００２１】
次に、この実施形態の制御機器５による処理動作について、図２のフローチャートにより説明する。まず、ここでは、映像音声信号切換器２については、切換器２と呼び、ビデオサーバ４については、単にサーバ４と呼ぶ。
【００２２】
そして、ここで処理が開始されたら、まず、制御機器５は、与えられた動作指令の内容を解釈する（Ｓ１）。このときの動作指令は、ＶＴＲ１に収録されていて、これからサーバ４に移すべき放送素材の信号形式がＳＤとＨＤの何れであるかを指示する指令と、サーバ４にこれから収録すべき放送素材の信号形式がＳＤとＨＤの何れであるか、或いは更にＳＤとＨＤの双方、つまりＳＤ＋ＨＤであるのかを表わす指令である。
【００２３】
次に、処理ステップＳ２で、ＶＴＲ１からサーバ４に移すべき放送素材の信号形式がＳＤのときは、処理ステップＳ３に分岐し、ＨＤのときは、処理ステップＳ４に分岐する。
【００２４】
そして、まず、一方の処理ステップＳ３では、これからビデオサーバ４に収録すべき放送素材の信号形式がＳＤのときは処理ステップＳ５に分岐し、信号形式がＳＤのときは処理ステップＳ６に分岐し、そしてＳＤ＋ＨＤのときは処理ステップＳ７に分岐する。
【００２５】
そして、まず、処理ステップＳ５に分岐したときは、ここで切換器２の接点ａはＯＦＦ（接点を開く）にし、接点ｂはＯＮ（接点を閉じる）にした後、このまま処理ステップＳ１３に進む。
【００２６】
次に、処理ステップＳ６に分岐したときは、まず、ここで切換器２の接点ａをＯＮ、接点ｂはＯＦＦにした後、続いて処理ステップＳ１１で変換器３の変換モードをアップコンバージョンにしてから、処理ステップＳ１３に進む。
【００２７】
また、処理ステップＳ７に分岐したときは、ここで切換器２の接点ａと接点ｂの双方をＯＮにする。そして、この後、処理ステップＳ１１では同じく変換器３の変換モードをアップコンバージョンにしてから処理ステップＳ１３に進むのである。
【００２８】
また、他方の処理ステップＳ４では、同じくこれからビデオサーバ４に収録すべき放送素材の信号形式がＳＤのときは処理ステップＳ８に分岐し、ＨＤときは処理ステップＳ９に分岐し、そしてＳＤ＋ＨＤのときは処理ステップＳ１０に分岐する。
【００２９】
そして、まず、処理ステップＳ８に分岐したときは、処理ステップＳ５と同じく、ここで切換器２の接点ａはＯＦＦ、接点ｂはＯＮにした後、このまま処理ステップＳ１３に進む。
【００３０】
次に、処理ステップＳ９に分岐したときは、処理ステップＳ６と同じで、ここで切換器２の接点ａをＯＮ、接点ｂはＯＦＦにするが、続く処理ステップＳ１２で、こんどは変換器３の変換モードをダウンコンバージョンにしてから、処理ステップＳ１３に進む。
【００３１】
また、処理ステップＳ１０に分岐したときは、処理ステップＳ７と同じく、ここで切換器２の接点ａと接点ｂの双方をＯＮにするが、この後、処理ステップＳ１２で変換器３の変換モードをダウンコンバージョンにしてから処理ステップＳ１３に進むのである。
【００３２】
処理ステップＳ１３の後は、まず、サーバ４に収録制御信号を送り、このときの放送素材である入力映像音声信号の本数分の収録準備を行なわせ（Ｓ１３）、次いでＶＴＲ１に再生制御信号を送り、要求されている放送素材の再生を開始される（Ｓ１４）。
【００３３】
そして、この後、収録が完了したか否かを監視し、完了したらサーバ４を制御して、このサーバ４による収録を終了させ（Ｓ１６）、処理を終わるのである。
【００３４】
そうすると、この実施形態によれば、以下の動作が自動的に得られることになる。
【００３５】
いま、ＶＴＲ１に収録されていて、これからサーバ４に移すべき放送素材の信号形式がＳＤであり、これからサーバ４に収録すべき放送素材の信号形式も同じくＳＤであったときは、切換器２の接点ｂだけかＯＮにされるので（Ｓ５）、ＶＴＲ１から再生された放送素材がそのままサーバ４に収録される。
【００３６】
また、ＶＴＲ１に収録されていて、これからサーバ４に移すべき放送素材の信号形式がＳＤであるが、これからサーバ４に収録すべき放送素材の信号形式が今度はＨＤであったとすると、このときは、切換器２は接点ａだけかＯＮにされると共に（Ｓ６）、変換器３がアップコンバージョンモードにされるので（Ｓ１１）、ＶＴＲ１から再生された放送素材は、信号形式がＳＤからＨＤに変換されてサーバ４に収録されることになる。
【００３７】
更に、ＶＴＲ１に収録されていて、これからサーバ４に移すべき放送素材の信号形式がＳＤであるが、これからサーバ４に収録すべき放送素材の信号形式が今度はＳＤ＋ＨＤであったとすると、このときは、切換器２は接点ａと接点ｂの双方ともＯＮにされると共に（Ｓ７）、変換器３がアップコンバージョンモードにされているので（Ｓ１１）、ＶＴＲ１から再生された放送素材は、一方では信号形式がＳＤのままでサーバ４に収録されると共に、他方では、ＳＤからＨＤに信号変換された上で、これも平行してサーバ４に、同時に収録されることになる。
【００３８】
次に、今度は、ＶＴＲ１に収録されていて、これからサーバ４に移すべき放送素材の信号形式がＨＤで、これからサーバ４に収録すべき放送素材の信号形式も同じくＨＤであったときは、切換器２の接点ｂだけかＯＮにされるので（Ｓ８）、ＶＴＲ１から再生された放送素材がそのままサーバ４に収録される。
【００３９】
また、ＶＴＲ１に収録されていて、これからサーバ４に移すべき放送素材の信号形式がＨＤであるが、これからサーバ４に収録すべき放送素材の信号形式が今度はＳＤであったとすると、このときは、切換器２は接点ａだけかＯＮにされると共に（Ｓ９）、変換器３はダウンコンバージョンモードにされるので（Ｓ１２）、ＶＴＲ１から再生された放送素材は、信号形式がＨＤからＳＤに変換されてサーバ４に収録されることになる。
【００４０】
更に、ＶＴＲ１に収録されていて、これからサーバ４に移すべき放送素材の信号形式がＨＤであるが、これからサーバ４に収録すべき放送素材の信号形式が今度はＳＤ＋ＨＤであったとすると、このときは、切換器２は接点ａと接点ｂの双方ともＯＮにされると共に（Ｓ１０）、変換器３がダウンコンバージョンモードにされている（Ｓ１２）。
【００４１】
そこで、このときＶＴＲ１から再生された放送素材は、一方では信号形式がＳＤのままでサーバ４に収録されると共に、他方では、ＳＤからＨＤに信号変換された上で、これも平行してサーバ４に収録されることになる。
【００４２】
従って、この実施形態によれば、同一の放送素材から複数の信号形式の放送素材を要する場合でも、１本の放送素材の収録に必要な時間と同じ時間で自動的に番組収録を得ることができる。
【００４３】
【発明の効果】
本発明によれば、同一放送素材を複数の映像・音声信号として収録する場合にも収録時間が増加する虞れがなく、自動的に番組素材が収録できる。
【図面の簡単な説明】
【図１】本発明による番組収録システムの一実施形態を示すブロック図である。
【図２】本発明の一実施形態の動作を説明するためのフローチャートである。
【符号の説明】
１  ＶＴＲ（映像・音声信号再生機器）
２  映像音声信号切換器（映像・音声信号切換器）
３  映像音声信号変換器（映像・音声信号変換器）
４  サーバ（映像・音声信号送出機器）
５  制御機器
【図１】
2004235999.tif 000003
【図２】
2004235999.tif 000004